【手続補正書】
【提出日】令和3年2月16日(2021.2.16)
【手続補正１】
【補正対象書類名】明細書
【補正対象項目名】０１０３
【補正方法】変更
【補正の内容】
【０１０３】
本開示の第４０の態様は、＊ＢＥＡフレームワーク型ゼオライトが、ゼオライトベータを含む、第２４〜第３９の態様のいずれかを含んでもよい。
以下、本発明の好ましい実施形態を項分け記載する。
実施形態１
炭化水素供給流を分解するための方法であって、
前記炭化水素供給流を反応器ユニット内で分解触媒と接触させることを含み、前記炭化水素供給流が、少なくとも４０度のＡＰＩ比重を有し、前記分解触媒が、
全分解触媒の５重量％〜３０重量％の量の１つ以上のバインダー材料と、
全分解触媒の３０重量％〜６０重量％の量の１つ以上のマトリックス材料と、
全分解触媒の５重量％〜４５重量％の量の＊ＢＥＡフレームワーク型ゼオライトと、
全分解触媒の５重量％〜４５重量％の量のＦＡＵフレームワーク型ゼオライトと、
全分解触媒の５重量％〜４５重量％の量のＭＦＩフレームワーク型ゼオライトと、
を含む、方法。
実施形態２
前記炭化水素供給流が、４５度〜６０度のＡＰＩ比重を有する、実施形態１に記載の方法。
実施形態３
前記ＦＡＵフレームワーク型ゼオライトの量が、全分解触媒の１０重量％〜２０重量％である、実施形態１または２に記載の方法。
実施形態４
前記ＭＦＩフレームワーク型ゼオライトの量が、全分解触媒の１０重量％〜２０重量％である、実施形態１〜３のいずれかに記載の方法。
実施形態５
前記ＭＦＩフレームワーク型ゼオライト、＊ＢＥＡフレームワーク型ゼオライト、およびＦＡＵフレームワーク型ゼオライトのうちの１つ以上が五酸化リンを含む、実施形態１〜４のいずれかに記載の方法。
実施形態６
前記１つ以上のバインダー材料のうちの少なくとも１つが擬ベーマイトである、実施形態１〜５のいずれかに記載の方法。
実施形態７
前記１つ以上のバインダー材料の量が、全分解触媒の１０重量％〜２０重量％である、実施形態１〜６のいずれかに記載の方法。
実施形態８
前記マトリックス材料のうちの１つ以上が、カオリンである、実施形態１〜７のいずれかに記載の方法。
実施形態９
分解触媒が、全分解触媒の３０重量％〜５０重量％の量の前記１つ以上のマトリックス材料を含む、実施形態１〜８のいずれかに記載の方法。
実施形態１０
前記触媒対油の重量比が、７〜１０である、実施形態１〜９のいずれかに記載の方法。
実施形態１１
前記ＭＦＩフレームワーク型ゼオライトが、ＺＳＭ−５を含む、実施形態１〜１０のいずれかに記載の方法。
実施形態１２
前記ＦＡＵフレームワーク型ゼオライトが、ゼオライトＹを含む、実施形態１〜１１のいずれかに記載の方法。
実施形態１３
前記＊ＢＥＡフレームワーク型ゼオライトが、ゼオライトベータを含む、実施形態１〜１２のいずれかに記載の方法。
実施形態１４
前記炭化水素供給流の、前記分解触媒との前記接触が、エチレン、プロピレン、およびブテンから選択される少なくとも２０重量％の軽質オレフィンを含む生成物流を生成する、実施形態１〜１３のいずれかに記載の方法。
実施形態１５
前記炭化水素供給流がガス凝縮物である、実施形態１〜１４のいずれかに記載の方法。
実施形態１６
炭化水素供給流を分解するためのシステムであって、
反応器と、
前記反応器に流入する炭化水素供給流であって、少なくとも４０度のＡＰＩ比重を有する、炭化水素供給流と、
前記反応器から流出する生成物流と、
少なくとも前記反応器内に配置された分解触媒と、を含み、前記分解触媒が、
全分解触媒の５重量％〜３０重量％の量の１つ以上のバインダー材料と、
全分解触媒の３０重量％〜６０重量％の量の１つ以上のマトリックス材料と、
全分解触媒の５重量％〜４５重量％の量の＊ＢＥＡフレームワーク型ゼオライトと、
全分解触媒の５重量％〜４５重量％の量のＦＡＵフレームワーク型ゼオライトと、
全分解触媒の５重量％〜４５重量％の量のＭＦＩフレームワーク型ゼオライトと、
を含む、システム。
実施形態１７
前記炭化水素供給流が、４５度〜６０度のＡＰＩ比重を有する、実施形態１６に記載のシステム。
実施形態１８
前記反応器ユニットが、流動床反応器である、実施形態１６または１７に記載のシステム。
実施形態１９
前記ＦＡＵフレームワーク型ゼオライトの量が、全分解触媒の１０重量％〜２０重量％である、実施形態１６〜１８のいずれかに記載のシステム。
実施形態２０
前記ＭＦＩフレームワーク型ゼオライトの量が、全分解触媒の１０重量％〜２０重量％である、実施形態１６〜１９のいずれかに記載のシステム。
実施形態２１
前記ＭＦＩフレームワーク型ゼオライト、＊ＢＥＡフレームワーク型ゼオライト、およびＦＡＵフレームワーク型ゼオライトのうちの１つ以上が五酸化リンを含む、実施形態１６〜２０のいずれかに記載のシステム。
実施形態２２
前記ＭＦＩフレームワーク型ゼオライト、＊ＢＥＡフレームワーク型ゼオライト、およびＦＡＵフレームワーク型ゼオライトのうちの１つ以上が、１重量％〜２０重量％の五酸化リンを含む、実施形態１６〜２１のいずれかに記載のシステム。
実施形態２３
前記触媒対油の重量比が、７〜１０である、実施形態１６〜２２のいずれかに記載のシステム。
実施形態２４
前記ＭＦＩフレームワーク型ゼオライトが、ＺＳＭ−５を含む、実施形態１６〜２３のいずれかに記載のシステム。
実施形態２５
前記ＦＡＵフレームワーク型ゼオライトが、ゼオライトＹを含む、実施形態１６〜２４のいずれかに記載のシステム。
実施形態２６
前記＊ＢＥＡフレームワーク型ゼオライトが、ゼオライトベータを含む、実施形態１６〜２５のいずれかに記載のシステム。
【手続補正２】
【補正対象書類名】特許請求の範囲
【補正対象項目名】全文
【補正方法】変更
【補正の内容】
【特許請求の範囲】
【請求項１】
炭化水素供給流を分解するための方法であって、
前記炭化水素供給流を反応器ユニット内で分解触媒と接触させることを含み、前記炭化水素供給流が、少なくとも４０度のＡＰＩ比重を有し、前記分解触媒が、
全分解触媒の５重量％〜３０重量％の量の１つ以上のバインダー材料と、
全分解触媒の３０重量％〜６０重量％の量の１つ以上のマトリックス材料と、
全分解触媒の５重量％〜４５重量％の量の＊ＢＥＡフレームワーク型ゼオライトと、
全分解触媒の５重量％〜４５重量％の量のＦＡＵフレームワーク型ゼオライトと、
全分解触媒の５重量％〜４５重量％の量のＭＦＩフレームワーク型ゼオライトと、
を含む、方法。
【請求項２】
前記炭化水素供給流が、４５度〜６０度のＡＰＩ比重を有する、請求項１に記載の方法。
【請求項３】
前記ＭＦＩフレームワーク型ゼオライト、＊ＢＥＡフレームワーク型ゼオライト、およびＦＡＵフレームワーク型ゼオライトのうちの１つ以上が五酸化リンを含む、請求項１または２に記載の方法。
【請求項４】
前記１つ以上のバインダー材料のうちの少なくとも１つが擬ベーマイトである、請求項１〜３のいずれかに記載の方法。
【請求項５】
前記マトリックス材料のうちの１つ以上が、カオリンである、請求項１〜４のいずれかに記載の方法。
【請求項６】
前記触媒対油の重量比が、７〜１０である、請求項１〜５のいずれかに記載の方法。
【請求項７】
前記炭化水素供給流の、前記分解触媒との前記接触が、エチレン、プロピレン、およびブテンから選択される少なくとも２０重量％の軽質オレフィンを含む生成物流を生成する、請求項１〜６のいずれかに記載の方法。
【請求項８】
前記炭化水素供給流がガス凝縮物である、請求項１〜７のいずれかに記載の方法。
【請求項９】
炭化水素供給流を分解するためのシステムであって、
反応器と、
前記反応器に流入する炭化水素供給流であって、少なくとも４０度のＡＰＩ比重を有する、炭化水素供給流と、
前記反応器から流出する生成物流と、
少なくとも前記反応器内に配置された分解触媒と、を含み、前記分解触媒が、
全分解触媒の５重量％〜３０重量％の量の１つ以上のバインダー材料と、
全分解触媒の３０重量％〜６０重量％の量の１つ以上のマトリックス材料と、
全分解触媒の５重量％〜４５重量％の量の＊ＢＥＡフレームワーク型ゼオライトと、
全分解触媒の５重量％〜４５重量％の量のＦＡＵフレームワーク型ゼオライトと、
全分解触媒の５重量％〜４５重量％の量のＭＦＩフレームワーク型ゼオライトと、
を含む、システム。
【請求項１０】
前記炭化水素供給流が、４５度〜６０度のＡＰＩ比重を有する、請求項９に記載のシステム。
【請求項１１】
前記ＭＦＩフレームワーク型ゼオライト、＊ＢＥＡフレームワーク型ゼオライト、およびＦＡＵフレームワーク型ゼオライトのうちの１つ以上が五酸化リンを含む、請求項９または１０に記載のシステム。
【請求項１２】
前記ＭＦＩフレームワーク型ゼオライト、＊ＢＥＡフレームワーク型ゼオライト、およびＦＡＵフレームワーク型ゼオライトのうちの１つ以上が、１重量％〜２０重量％の五酸化リンを含む、請求項９〜１１のいずれかに記載のシステム。
【請求項１３】
前記触媒対油の重量比が、７〜１０である、請求項９〜１２のいずれかに記載のシステム。
【請求項１４】
前記＊ＢＥＡフレームワーク型ゼオライトが０．５重量％未満の遷移金属を含む、請求項１〜８のいずれかに記載の方法。
【請求項１５】
前記＊ＢＥＡフレームワーク型ゼオライトが０．５重量％未満の遷移金属を含む、請求項９〜１３のいずれかに記載のシステム。